(57)【要約】【課題】回転操作の負荷が大きく、非常に重い支柱本体を上動させねばならない。【解決手段】下方開口状の長い外筒体３を自立可能な短い内筒体４に回動可能に外嵌し、外筒体３内の中央にして内筒体４より上方にナット６を配置し外筒体３に固定し、該ナット６に螺入したボルト７の下端を、内筒体４内に上下動可能にして回動不能に設けたガイド体８に固定し、ガイド体８の下部に設けた連結部材11における、内筒体４の下部より突出した下端部に、掛止穴Ｈ、Ｈａの直径より長い抜止板12を揺動可能に取り付け、外筒体３の上部及び中間部に、仮柵本体２の横フレーム２、2aの係止具13、13a を設ける。よって、長い外筒体３を回転操作するために作業姿勢を直立姿勢で行える様にし、而も上動させるのはボルト７、ガイド体８、連結部材11及び抜止板12で非常に軽量であるため、回転操作時の負荷が軽減して操作性が良好になる。【選択図】図２
2006138066.tif 000002
【特許請求の範囲】
【請求項１】
工事現場における掘削箇所の上方開口部を塞ぐ覆工板に設けた掛止穴を利用して設置す
る支柱であって、
下方開口状の長い外筒体を自立可能な短い内筒体に回動可能に外嵌し、外筒体内の中央
にして内筒体より上方にナットを配置し外筒体に固定し、該ナットに螺入したボルトの下
端を、内筒体内に上下動可能にして回動不能に設けたガイド体に固定し、ガイド体の下部
に設けた連結部材における、内筒体の下部より突出した下端部に、上記掛止穴の直径より
長い抜止板を揺動可能に取り付け、外筒体に、仮柵本体の横フレームの係止具を設けたこ
とを特徴とする仮柵用支柱。
【請求項２】
内筒体の下部に設けた鍔状の接地部の上面に外筒体の下端を当接させたことを特徴とす
る請求項１記載の仮柵用支柱。
【請求項３】
連結部材を変形可能としたことを特徴とする請求項１又は２記載の仮柵用支柱。
【発明の詳細な説明】
【技術分野】
【０００１】
本発明は、特に道路工事現場における掘削箇所の上方開口部を塞ぐ覆工板の四隅に設け
た吊下搬送用の掛止穴を利用して立設し仮柵を設置する様にした支柱に関する。
【背景技術】
【０００２】
従来、工事現場にあっては、危険防止、部外者侵入防止等のために仮柵等で囲うのが一
般的である。
特に道路工事現場等にあっては、溝、穴等を掘削することから、かかる掘削箇所の上方
開口部を覆工板で塞いでいることから、工事現場の境界が覆工板の敷設箇所の外周になる
ため、覆工板の四隅に設けられた吊下搬送用の掛止穴を利用して支柱を立設し仮柵を設置
することが一般的に行われている。
【０００３】
上記仮柵用支柱の具体例としては、図８、９に示す形式のものが一般的であり、支柱本
体ａの下部外周に成形したねじ部ｂに締付体ｃを螺嵌することで、該締付体ｃを正逆回転
させれば支柱本体ａに対し上下動する様に成っている。又、上記締付体ｃの外側面にハン
ドルｄ、ｄ’を設けている。
又、締付体ｃの下方に脚部ｅを配置し、該脚部ｅは支柱本体ａの下部への外嵌筒部ｆと
、該外嵌筒部ｆの下部に周設した鍔状の接地部ｇとにより構成されている。
又、支柱本体ａの下端部に抜止板ｈの中間部を軸着し、該抜止板ｈの両端部は支柱本体
ａの両側部より突出している。又、抜止板ｈの一端側の端面ｉを、支柱本体ａの中心側且
つ下方へ指向する傾斜面としている。尚、抜止板ｇは、その中間部を支柱本体ａの下端に
設けた切込ｊ内に配置して支柱本体ａに軸着されている。
【０００４】
そして、抜止板ｇの一端側が上方に位置する様に傾斜させた状態として、覆工板Ｗの掛
止穴Ｈ、Ｈａに支柱本体ａの下端部を差し込み、覆工板Ｗの表面に脚部ｅの接地部ｇを当
接させた後、支柱本体ａに対し下動させる様に締付体ｃを正回転させるが、該締付体ｃは
脚部ｅに当接状態で下動しないことから、支柱本体ａが上動し、先ず傾斜状態の抜止板ｇ
の上端部を覆工板Ｗの裏面に当接させ、そして抜止板ｇの両端部が覆工板Ｗの裏面に当接
したことを確認しつつ締付体ｃを更に正回転させ、最終的に抜止板ｇ及び脚部ｅで覆工板
Ｗを挟着して、覆工板Ｗに対し支柱本体ａを立設固定する様にしている。
【０００５】
研究開発段階や出願段階で先行技術調査を行っておらず、記載すべき先行技術文献を知
りません。
【発明の開示】
【発明が解決しようとする課題】
【０００６】
しかし、上記従来技術にあっては、支柱本体ａの上動を、支柱本体ａの下部に位置する
締付体ｃの回転操作により行うことになるが、締付体ｃの脚部ｅへの当接面に支柱本体ａ
の全重量が作用することから、締付体ｃと脚部ｅ間の摩擦抵抗が増大し、而も重い支柱本
体ａを上動させねばならないため、回転操作する締付体ｃが非常に重く負荷非常に大きく
なり、而も作業姿勢が前屈みになるため、力が入り難く、その結果支柱本体ａの設置作業
が面倒且つ時間を要してしまう等、解決せねばならない課題があった。
【課題を解決するための手段】
【０００７】
本発明は、上記従来技術に基づく、回転操作の負荷が大きく、非常に重い支柱本体を上
動させねばならない課題に鑑み、下方開口状の長い外筒体を自立可能な短い内筒体に回動
可能に外嵌し、外筒体内の中央にして内筒体より上方にナットを配置し外筒体に固定し、
該ナットに螺入したボルトの下端を、内筒体内に上下動可能にして回動不能に設けたガイ
ド体に固定し、ガイド体の下部に設けた連結部材における、内筒体の下部より突出した下
端部に、覆工板の掛止穴の直径より長い抜止板を揺動可能に取り付けたことによって、長
い外筒体を回転操作するために作業姿勢を直立姿勢で行える様にし、而も上動させるのは
ボルト、ガイド体、連結部材及び抜止板で非常に軽量であることによって、回転操作時の
負荷を軽減し操作性を良好にする様にして、上記課題を解決する。
【発明の効果】
【０００８】
要するに本発明は、下方開口状の長い外筒体を自立可能な短い内筒体に回動可能に外嵌
したので、作業者は直立姿勢で外筒体の回転操作を行うことが出来るため、非常に楽で力
を十分に入れることが出来る姿勢で作業することが出来る。
又、外筒体内の中央にして内筒体より上方にナットを配置し外筒体に固定し、該ナット
に螺入したボルトの下端を、内筒体内に上下動可能にして回動不能に設けたガイド体に固
定し、ガイド体の下部に設けた連結部材における、内筒体の下部より突出した下端部に、
覆工板の掛止穴の直径より長い抜止板を揺動可能に取り付けたので、外筒体の回転操作に
より、ボルト、ガイド体、連結部材及び抜止板を上動させれば設置作業が行えるため、回
転操作時の負荷を非常に小さく抑えることが出来る。
よって、本発明に係る仮柵用支柱によれば、簡単且つ短時間で設置作業を完了させるこ
とが出来る。
【０００９】
内筒体の下部に鍔状の接地部を設けたので、設置作業を接地部を踏んで行えば、外筒体
の回転操作時に内筒体が回転しないため、更に容易に設置作業を行うことが出来、而も接
地部の上面に外筒体の下端を当接させたので、接地部を外筒体及び覆工板で挟着出来るた
め、立設状態の仮柵用支柱の安定性を更に向上させることが出来る。
又、図８、９に示す従来の仮柵用支柱は設置作業時に直立姿勢にしなければ、抜止板を
覆工板の掛止穴を通過させることが出来ないが、本発明のものは、連結部材を変形可能と
したので、内外筒体をどの様な姿勢にしたとしても、抜止板を覆工板の掛止穴を確実に通
過させることか出来るため、作業容易性を更に向上させることが出来る等その実用的効果
甚だ大である。
【発明を実施するための最良の形態】
【００１０】
以下、本発明に係る仮柵用支柱の一実施例を図面に基づき説明する。
図８、９で示す従来の支柱と同様に、道路工事現場等に掘削された溝、穴の上方開口部
を塞ぐ覆工板Ｗ、Ｗａ…の掛止穴Ｈ、Ｈａに、本発明に係る仮柵用支柱１、1aを設置し、
該仮柵用支柱１、1a間に、図５、６、７に示す様に、仮柵本体２を配置すると共に該仮柵
本体２の両端部を仮柵用支柱１、1aに係止固定する様にしている。
【００１１】
各仮柵用支柱１、1aにあっては、図１〜４に示す様に、下方開口した長い外筒体３を、
自立可能な短い内筒体４に回動可能に外嵌し、該内筒体４の下部に鍔状の接地部５を設け
、該接地部５の上面に外筒体３の下端が当接している。
外筒体３内の中央にして内筒体４より上方にナット６を配置し外筒体３に固定し、該ナ
ット６に螺入したボルト７の下端を、内筒体４内に上下動可能に設けたガイド体８に固定
し、該ガイド体８の側部に設けたガイド溝９、9aに嵌合するガイドレール10、10a を内筒
体４の内側面に固定して、内筒体４に対しガイド体８が回転せずに上下動可能になってい
る。
そして、外筒体３を正逆回転させることで、外筒体３及び内筒体４に対しボルト７が上
下動する様に成っている。
【００１２】
ガイド体８の下部に、チェーンの様な変形可能な連結部材11を設け、該連結部材11にお
ける内筒体４の下部より突出した下端部に、掛止穴Ｈ、Ｈａの直径より長い抜止板12を上
下揺動可能に取り付け、該抜止板12における連結部材11の取付部位を重心より偏心位置と
して、抜止板12の通常姿勢を傾斜状態としている。
【００１３】
各仮柵用支柱１、1aの上部及び中間部に仮柵本体２の係止具13、13a を設け、該係止具
13、13a の夫々は、外筒体３に外嵌するスライド筒体14の正面に係止具本体15を一体形成
すると共に、背面に回転止めネジ16を設け、該回転止めネジ16はスライド筒体14を貫通し
て外筒体３に接離可能にしている。
尚、係止具13、13a の位置を調節自在としており、外筒体３の長さ方向に複数個の取付
孔17、17a …に直列形成し、係止具13、13a の取付箇所の取付孔17、17a …にストッパー
18、18a を挿設し、該ストッパー18、18a における突出両端部に、各係止具13、13a にお
けるスライド筒体14の下部を当接させて、外筒体３に対し係止具13、13a を位置決めする
と共に、ストッパー18、18a を挿設する取付孔17、17a …の位置により係止具13、13a の
位置を調節する様にしている。
尚、各ストッパー18、18a は、取付孔17、17a …を貫通したボルトと、該ボルトの突端
部に螺嵌したナットにより構成している。
【００１４】
次に、本発明に係る仮柵用支柱の設置方法及び作用について説明する。
（１）抜止板12を、該抜止板12が掛止穴Ｈ、Ｈａを通過可能な状態まで下げる。
（２）掛止穴Ｈ、Ｈａを抜止板12を通した後、覆工板Ｗの表面に内筒体４の接地部５を当
接させて仮柵用支柱１、1aを一旦立てる。
（３）内筒体４を回転しない様にした後に、外筒体３を正回転、即ちボルト７に対しナッ
ト６を下動させる方向に回転させることで、外筒体３は接地部５に当接状態で下がらない
ために外筒体３及び内筒体４に対しボルト７が上動し、連結部材11を介して抜止板12を持
ち上げて、該抜止板12の両端部を覆工板Ｗの裏面に当接させる。
（４）抜止板12の両端部が覆工板Ｗの裏面に当接したことを確認しつつ外筒体３を更に正
回転させ、最終的に抜止板12及び内筒体４の接地部５で覆工板Ｗを挟着し、且つ外筒体３
と覆工板Ｗで接地部５を挟着して、覆工板Ｗに対し仮柵用支柱１、1aを立設固定する。
【００１５】
そして、仮柵用支柱１、1a間に仮柵本体２を配置すると共に、該仮柵本体２の上部及び
中間部の横フレーム2a、2bを、所定位置に固定した係止具13、13a に掛けて、仮柵用支柱
１、1aに対し仮柵本体２を吊り下げ固定する。
【００１６】
尚、上記（２）工程における抜止板12を掛止穴Ｈ、Ｈａを通過させる際には、連結部材
11が変形可能なため、掛止穴Ｈ、Ｈａに対する仮柵用支柱１、1aの位置がずれていても確
実に通過させることが可能になる。
又、（３）工程において、内筒体４を回転しない様にするためには、例えば作業者が接
地部５を踏んだ状態で外筒体３の回転操作を行えば良い。
【図面の簡単な説明】
【００１７】
【図１】本発明に係る仮柵用支柱の側面図である。
【図２】図１のＹ１−Ｙ１断面図である。
【図３】図１のＸ１−Ｘ１断面図である。
【図４】図１のＸ２−Ｘ２断面図である。
【図５】図１の仮柵用支柱を使用した仮柵の平面図である。
【図６】図５の正面図である。
【図７】図５のＺ−Ｚ断面の拡大図である。
【図８】従来の仮柵用支柱の側面図である。
【図９】図８のＹ２−Ｙ２断面図である。
【符号の説明】
【００１８】
２          仮柵本体
２、2a      横フレーム
３          外筒体
４          内筒体
５          接地部
６          ナット
７          ボルト
８          ガイド体
11          連結部材
12          抜止板
13、13a     係止具
Ｈ、Ｈａ    掛止穴
Ｗ、Ｗａ…  覆工板
【図１】
2006138066.tif 000003
【図２】
2006138066.tif 000004
【図３】
2006138066.tif 000005
【図４】
2006138066.tif 000006
【図５】
2006138066.tif 000007
【図６】
2006138066.tif 000008
【図７】
2006138066.tif 000009
【図８】
2006138066.tif 000010
【図９】
2006138066.tif 000011